(57)【要約】【課題】  緊急警報信号の受信に応じて緊急警報放送の放送内容を表示可能な状態となるように動作するテレビジョン受像機として、地震等に伴う外乱（転倒・落下等）が生じ、その後に緊急警報信号が受信されて自動的にオンされた場合に生じる可能性がある電気的トラブルを確実に防止する。【解決手段】  傾斜センサ１２によってテレビジョン受像機１の転倒が検出された場合は、以降において少なくともディスプレイ部の駆動用電源がオンされないように制御する。これにより、上記転倒が地震によるもので、後に緊急警報信号が受信された場合にも、比較的高電圧となるディスプレイ部７の駆動用電源がオンされないようになり、例えば表示駆動部６などが損傷・破壊された場合にも確実に発煙や発火等といった電気的なトラブルの発生を防止することができる。【選択図】図１
2006319877.tif 000002
【特許請求の範囲】
【請求項１】
画像表示を行うための表示ディスプレイ部を備えて放送信号に応じた画像表示を行うと共に、上記放送信号中に挿入される緊急警報信号の受信に応じて、緊急警報放送の放送内容を表示可能な状態となるように動作するテレビジョン受像機において、
上記テレビジョン受像機に生じる外乱を検出する外乱検出手段と、
上記外乱検出手段により外乱が検出されたときは、以降において少なくとも上記表示ディスプレイ部の駆動電源がオンされないように制御する電源制御を行い、且つ上記緊急警報信号の受信が可能な電源状態となるように制御を行う制御手段と、
を備えることを特徴とするテレビジョン受像機。
【請求項２】
上記制御手段は、さらに、
上記緊急警報信号が受信されたことに応じてその旨が外部通知されるように制御することを特徴とする請求項１に記載のテレビジョン受像機。
【請求項３】
上記制御手段は、さらに、
上記外乱検出手段により外乱が検出されたことに応じて、その旨が外部通知されるように制御することを特徴とする請求項１に記載のテレビジョン受像機。
【請求項４】
上記制御手段は、
上記外乱検出手段により外乱が検出された以降においても、所定の操作入力に応じては強制的に電源をオンとするように制御を行うようにされる、
ことを特徴とする請求項１に記載のテレビジョン受像機。
【請求項５】
上記制御手段による上記電源制御は、操作入力に応じてその実行／不実行が選択可能とされていることを特徴とする請求項１に記載のテレビジョン受像機。
【請求項６】
画像表示を行うための表示ディスプレイ部を備えて放送信号に応じた画像表示を行うと共に、上記放送信号中に挿入される緊急警報信号の受信に応じて、緊急警報放送の放送内容を表示可能な状態となるように動作するテレビジョン受像機における制御方法であって、
上記テレビジョン受像機に外乱が生じたときには、以降において少なくとも上記表示ディスプレイ部の駆動電源がオンされないように制御する電源制御を行い、且つ上記緊急警報信号の受信が可能な電源状態となるように制御を行うようにした、
ことを特徴とする制御方法。
【発明の詳細な説明】
【技術分野】
【０００１】
本発明は、特に緊急警報信号の受信に応じて緊急警報放送の放送内容を表示可能な状態となるように動作するテレビジョン受像機、及びこのようなテレビジョン受像機に適用して好適な制御方法に関する。
【背景技術】
【０００２】
テレビジョン放送では、地震や津波等の非常災害時に、緊急警報信号を発信してテレビジョン受像機側を制御することで、緊急災害に関する情報提供のための緊急警報放送を受信させる緊急警報放送発令システムを有している。
このような緊急警報放送発令システムに対応したテレビジョン受像機としては、緊急警報信号の受信に応じて電源を起動するようにされたものがある。すなわち、緊急警報信号の受信が可能なスタンバイ状態で待機し、緊急警報信号が受信されたことに応じて電源を起動することで、自動的に緊急警報放送を受信可能となるように動作するものである。
【０００３】
なお、関連する従来技術については以下の特許文献を挙げることができる。
【特許文献１】特開平４−１６３５８５号公報
【発明の開示】
【発明が解決しようとする課題】
【０００４】
但し、このように緊急警報信号の受信に応じて自動的に起動するテレビジョン受像機としては、以下の点で問題がある。
例えば、緊急警報信号が発信されるような災害として地震が発生した場合には、テレビジョン受像機には落下や転倒等の外乱が生じる可能性がある。このような落下や転倒による外乱の発生によってはテレビジョン受像機内の回路が損傷・破壊される可能性があり、このような場合に緊急警報信号が受信されて電源がオンとされてしまうことで、電気的なトラブルが生じる可能性がある。一例として、比較的高電圧電源を要する表示ディスプレイ部に破壊・損傷が生じた状態で電源がオンとされてしまった場合には、発煙や発火等のトラブルが生じる可能性が高くなる。
【課題を解決するための手段】
【０００５】
そこで、本発明では以上のような問題点に鑑み、テレビジョン受像機として以下のようにすることとした。
つまり、画像表示を行うための表示ディスプレイ部を備えて放送信号に応じた画像表示を行うと共に、上記放送信号中に挿入される緊急警報信号の受信に応じて、緊急警報放送の放送内容を表示可能な状態となるように動作するテレビジョン受像機において、先ず、上記テレビジョン受像機に生じる外乱を検出する外乱検出手段を備える。
その上で、上記外乱検出手段により外乱が検出されたときは、以降において少なくとも上記表示ディスプレイ部の駆動電源がオンされないように制御する電源制御を行い、且つ上記緊急警報信号の受信が可能な電源状態となるように制御を行う制御手段を備えるようにしたものである。
【０００６】
上記構成によれば、例えば地震の発生によってテレビジョン受像機に外乱が生じたときに、緊急警報信号が検出（受信）されたとしても、少なくとも表示ディスプレイ部の駆動電源がオンとされないように制御される。
【発明の効果】
【０００７】
このようにして本発明によれば、地震等による外乱の発生に伴っては少なくとも表示ディスプレイ部の駆動電源がオンとされないように制御されるので、緊急警報信号の受信に応じて緊急警報放送の放送内容を表示可能な状態となるように動作するテレビジョン受像機として、発煙や発火等といった電気的なトラブルの発生を確実に防止することができる。
【０００８】
また、上記本発明によれば、外乱の検出に応じては緊急警報信号の受信が可能な電源状態となるように制御されることで、当該外乱が地震によるもので後に緊急警報信号が発信された場合にも、緊急警報信号の受信自体は行うことができる。つまり、このような本発明によれば、外乱の検出後、緊急警報信号の受信に応じては緊急警報放送の放送内容を表示可能な状態には遷移せずに電気的トラブル発生を防止できると共に、一方では緊急警報信号の受信に応じて例えばこれを外部通知するといったことが可能となる。
【発明を実施するための最良の形態】
【０００９】
以下、発明を実施するための最良の形態（以下実施の形態とする）について説明していく。
図１は、本発明における実施の形態としてのテレビジョン受像機１の内部構成を示したブロック図である。
実施の形態のテレビジョン受像機１としては、地上波デジタル放送に対応したテレビジョン受像機とされる。また、地震や津波等の非常災害時に、放送局側が発信した緊急警報信号によりテレビジョン受像機側を制御することで、緊急災害に関する情報提供のための緊急警報放送を受信させる緊急警報放送発令システム（ＥＷＳ：Emergency Warning System）に対応した構成が採られる。
【００１０】
先ず、地上波デジタル放送による放送波は、図示するアンテナ２によって受信され、内蔵のＬＮＢ（Low Noize Block Down Converter）によって所定の高周波信号に変換され、テレビジョン受像機１内に設けられたデジタル放送受信チューナ部３に供給される。
デジタル放送受信チューナ部３は、このように所定の周波数に変換された受信信号として、後述するシステムコントローラ１０からの指示に基づき決定されるキャリア（受信周波数）を受信するようにされ、例えばビタビ復調処理や誤り訂正処理等を施すことでＴＳ（Transport Stream）を得るようにされる。
【００１１】
ここで、地上波デジタル放送の規格によるＴＳは、周知のようにＭＰＥＧ２(Moving Picture Experts Group Layer2)方式によって、複数のプログラム（映像番組）のビデオ信号及びオーディオ信号を圧縮した圧縮データと、各種の付加情報が多重化されている。
そして、上記したビデオ信号及びオーディオ信号を圧縮した圧縮データは、ＥＳ（Elementary Stream）として多重化される。また、放送側が挿入する付加情報としては、ＰＡＴ(Program Association Table)、ＰＭＴ(Program Map Table)などのテーブルを格納するＰＳＩ(Program Specific Information：番組特定情報）や、ＳＩ(Service Information:番組配列情報）などが挙げられる。
上記各情報の多重化は、ＴＳを１８８バイトのトランスポートストリーム・パケット（ＴＳパケット）により形成するようにして、このＴＳパケットに対して、上記したＥＳ及び各種付加情報を格納することにより行われる。
上記のようにしてデジタル放送受信チューナ部３にて得られたＴＳは、放送信号処理部４に対して供給される。
【００１２】
また、デジタル放送受信チューナ部３では、ＴＳからＰＳＩ(Program Specific Information:番組特定情報)のパケットを取得し、その選局情報を更新すると共に、ＴＳにおける各チャンネルのコンポーネントＰＩＤ(Program ID)を得て、システムコントローラ１０に伝送する。システムコントローラ１０では、取得したＰＩＤを受信信号処理に利用することになる。
【００１３】
なお、図示は省略しているが、このデジタル放送受信チューナ部３を始めとしたテレビジョン受像機１内の各部（放送信号処理部４、映像信号処理部５、音声信号処理部８、表示駆動部６）とシステムコントローラ１０とのデータのやりとりは、図中のバス１７を介して行うことが可能とされる。
【００１４】
また、この場合のデジタル放送受信チューナ部３には、緊急警報放送発令システムにおいて放送局側が発信する緊急警報信号を検出（受信）するための、ＥＷＳ検出部３ａが設けられている。このＥＷＳ検出部３ａは、上記のようにして得られたＴＳ中のＴＭＣＣ（Transmission and Multiplexing Configuration and Control）情報における起動ビットの値を参照し、その値が所定値となっているか否かを判別する。すなわち、この起動ビットが所定値であることに応じて緊急警報信号が検出される。緊急警報信号を検出した場合、システムコントローラ１０に対してＥＷＳ通知を行う。例えば、緊急警報信号が検出されていない場合はＬ、検出された場合はＨによる信号をシステムコントローラ１０に供給する。
【００１５】
放送信号処理部４は、少なくともデマルチプレクサ、ＭＰＥＧデコーダを備えて構成される。
上記デマルチプレクサではシステムコントローラ１０から設定されたフィルタ条件に従って、ＴＳから必要なＴＳパケットを分離する。これによりデマルチプレクサ１３においては、目的とする１つのプログラムについてのＴＳパケットとして、例えば映像番組としての、ＭＰＥＧ２方式により圧縮されたビデオデータのＴＳパケットと、ＭＰＥＧ２方式により圧縮されたオーディオデータのＴＳパケットを得ることになる。そして、このようにして得られた圧縮ビデオデータと圧縮オーディオデータをＭＰＥＧデコーダに対して出力する。
なお、デマルチプレクサにより分離され、上記ＭＰＥＧデコーダに入力される圧縮ビデオ／オーディオデータの個別パケットは、ＰＥＳ(Packetized Elementary Stream)と呼ばれる形式とされる。
【００１６】
放送信号処理部４内のＭＰＥＧデコーダは、上記した圧縮ビデオデータをＭＰＥＧ２フォーマットに従ってデコード（伸長）処理を行うビデオデコーダと、圧縮オーディオデータについて、ＭＰＥＧ２フォーマットに従って、上記ビデオデータ出力に同期させるようにしてデコード処理を行うオーディオデコーダとを備えている。そして、入力された圧縮ビデオデータについては、ビデオデコーダによってデコード処理を施し、また、入力された圧縮オーディオデータについてはオーディオデコーダによってデコード処理を施す。
そして、この場合、デコードされたビデオデータについては、例えばＮＴＳＣ方式などの所定のテレビジョン方式に対応して適正に画像表示が行われるように所要の信号処理を施して、デジタルビデオデータ（Video）を得る。
また、デコードされたオーディオデータについてはデジタルオーディオデータ（Audio）として出力される。
【００１７】
放送信号処理部４にて得られたデジタルオーディオデータは音声信号処理部８に供給されて所要の音声信号処理が施され、アナログオーディオ信号に変換されてスピーカ９より音声出力される。
また、デジタルビデオデータは、映像信号処理部５に供給され、ここにおいて垂直・水平同期信号検出や各種映像信号処理が行われる。
表示駆動部６は映像信号処理部５からの出力に基づきディスプレイ部７を表示駆動する。
なお、例えば液晶ディスプレイとされる場合、ディスプレイ部７には液晶表示パネルと共にバックライトが含まれるものとなる。この場合、表示駆動部６は液晶表示パネルについての表示駆動と共にバックライトの発光駆動も行うものとなる。
【００１８】
電源回路１１は、図示されない商用交流電源を入力して動作するＡＣ→ＤＣコンバータとして構成され、生成された直流出力電圧に基づき当該テレビジョン受像機１内の各部に動作電源を供給する。
図示するように電源回路１１は、システムコントローラ１０に対するスタンバイ電源Ｅｓｔと、デジタル放送受信チューナ部３に対するチューナ系電源Ｅｔと、放送信号処理部４に対するデジタル系電源Ｅｄと、映像信号処理部５・音声信号処理部８・表示駆動回路６に対するセット系電源Ｅｓｅとを、それぞれ分けて供給することが可能に構成されている。これらのうち、チューナ系電源Ｅｔ、デジタル系電源Ｅｄ、セット系電源Ｅｓの出力制御は、後述するようにシステムコントローラ１０により行われる。
【００１９】
システムコントローラ１０は、当該テレビジョン受像機１の全体制御を行う。
メモリ部１３は、システムコントローラ１０が備えるＲＯＭ、ＲＡＭ等のメモリを包括的に示してる。システムコントローラ１０はこのメモリ部１３内に格納されたプログラムに従って各部を制御する。
【００２０】
また、システムコントローラ１０に対しては、ユーザが当該テレビジョン受像機１に対する各種動作指示を行うことを可能とするためのユーザインタフェース（Ｉ／Ｆ）１４が設けられる。このユーザインタフェース１４は、当該テレビジョン受像機１の筐体外部に表出するようにして設けられた各種操作キーや、図示されないリモートコントローラからのコマンド信号を受信するためのコマンド受信部を含む。
システムコントローラ１０は、ユーザインタフェース１４を介して得られた操作情報に応じて各部を制御するようにされ、これによってユーザの指示に応じた動作が実行されるようになっている。
【００２１】
この場合のシステムコントローラ１０としては、上記した電源回路１１の出力電源についての制御を行うようにされる。このような電源の出力制御は、図示するように電源回路１１に対して供給されるチューナ系電源制御信号Ｓ-EWS、デジタル系電源制御信号Ｓ-Dig、セット系電源制御信号Ｓ-Setによって行う。
【００２２】
ここで、テレビジョン受像機１における電源状態は、次の図２のように制御される。
先ず、スタンバイ状態は、システムコントローラ１０にスタンバイ電源Ｅｓｔが供給されている状態である。これによってリモートコントローラ等による操作の受付やタイマーに基づく起動が可能とされている。このスタンバイ状態では、システムコントローラ１０は、チューナ系電源制御信号Ｓ-EWS、デジタル系電源制御信号Ｓ-Dig、セット系電源制御信号Ｓ-Setとして全てＬを出力するようにされる。
【００２３】
また、緊急警報信号受信可能状態は、緊急警報信号の受信が可能な最低限の電源状態であり、スタンバイ電源Ｅｓｔと共に、デジタル放送受信チューナ部３に対するチューナ系電源Ｅｔが供給される状態である。つまり、この場合はチューナ系電源制御信号Ｓ-EWSはＨ、デジタル系電源制御信号Ｓ-Digとセット系電源制御信号Ｓ-SetはＬを出力するようにされる。
【００２４】
予約録画実行状態は、予約録画動作時において、当該テレビジョン受像機１において受信・選局されて得られた放送コンテンツとしてのビデオデータ及びオーディオデータを、外部の録画機器に対して出力する（図中ＡＶ出力）ときの電源状態である。この場合、チューナ系電源制御信号Ｓ-EWS及びデジタル系電源制御信号Ｓ-DigとしてＨ、セット系電源制御信号Ｓ-SetとしてはＬを出力する。
【００２５】
また、セットオン状態は、当該テレビジョン受像機１のセット全体が動作する電源状態であり、ディスプレイ部７上に画像表示が行われる状態はこのセットオン状態に該当する。このセットオン状態では、チューナ系電源制御信号Ｓ-EWS、デジタル系電源制御信号Ｓ-Dig、セット系電源制御信号Ｓ-Setの全てをＨ出力する。
【００２６】
なお、スタンバイ状態と緊急警報信号受信可能状態は、例えばリモートコントローラの操作によって電源をオフとする操作が行われたことに応じて遷移する電源状態とされる。電源オフ操作によりスタンバイ状態に遷移するか緊急警報信号受信可能状態に遷移するかは、予めユーザ操作等に基づいて選択可能とされる。
【００２７】
また、図１において、システムコントローラ１０は、上記のような緊急警報信号受信可能状態の下で、ＥＷＳ検出部３ａより緊急警報信号の受信を通知するＥＷＳ通知が行われた場合に、チューナ系電源制御信号Ｓ-EWS、デジタル系電源制御信号Ｓ-Dig、セット系電源制御信号Ｓ-Setの全てをＨ出力し、これによって当該テレビジョン受像機１内の各部を動作させる（セットオン状態とさせる）制御を行う。つまり、これによって緊急警報信号の受信に応じて、緊急警報放送の放送内容の表示が可能となるようにされている。
【００２８】
また、特に本実施の場合、システムコントローラ１０に対しては、傾斜センサ１２が設けられる。この傾斜センサ１２は、当該テレビジョン受像機１本体と固着され、当該テレビジョン受像機１の傾斜状態をセンスする。
この場合の傾斜センサ１２としては、それぞれ直交する２軸方向での傾斜をセンスすることが可能に構成され、どちらか一方の軸方向での傾斜角が４５°以上となることを検出するように構成される。すなわち、どちらか一方の軸方向での傾斜角が４５°以上となることに応じ、その旨を示す検出信号をシステムコントローラ１０に対して供給する。
なお本実施の形態の場合、傾斜センサ１２としては例えばホール素子を備えて傾斜角をセンスするタイプのものを選定した。このようなホール素子を用いたタイプのものは傾斜センサとして比較的小型であり、その分実装面積の拡大を抑制できる。
【００２９】
また、システムコントローラ１０に対しては、第１ＬＥＤ１５、第２ＬＥＤ１６が設けられる。これら第１ＬＥＤ１５、第２ＬＥＤ１６は、当該テレビジョン受像機１の筐体外部に表出するようにして設けられ、システムコントローラ１０の制御に基づいて点灯／消灯するようにされる。
第１ＬＥＤ１５は、傾斜センサ１２により転倒が検出されたことに応じて、システムコントローラ１０により点灯されるもので、従ってテレビジョン受像機１が転倒したことを外部通知するためのＬＥＤとして設けられる。
一方の第２ＬＥＤ１６は、ＥＷＳ通知がされたことに応じてシステムコントローラ１０が点灯させるもので、従って緊急警報信号が受信されたことを外部通知するためＬＥＤとして機能するようにされている。
【００３０】
ここで、本実施の形態のテレビジョン受像機１としては、図１に示したようにして設けた傾斜センサ１２により、テレビジョン受像機１本体の転倒を検出する。つまり、傾斜角が４５°以上ということは、転倒（落下）した可能性が高い。このような転倒・落下等の外乱が生じた場合には、内部の回路が損傷・破壊された可能性が高いと言えるので、傾斜センサ１２による検出結果に基づくことで、テレビジョン受像機１内部の回路が損傷・破壊された可能性が高い状態にあることを判断できる。
このように地震等に伴いテレビジョン受像機１に転倒・落下等の外乱が生じたことを検出することで、内部の回路が損傷・破壊された可能性が高い状態であるかどうかを判断できる。
【００３１】
そして、本実施の形態では、このように傾斜センサ１２にて転倒が検出され、内部回路が破壊・損傷した可能性が高い状態にあるとされたことに応じ、先ずはディスプレイ部７の駆動用電源がオンとされないように制御を行う。具体的に、システムコントローラ１０は、ディスプレイ部７の駆動用電源を含むセット系電源Ｅｓｅがオンとされないようにするための無効フラグの設定を行う。
これによって、例えば当該転倒・落下による外乱の要因が地震であり、これに伴い後に緊急警報信号が受信されたとしても、セットオン状態に遷移させる制御が行われないようにすることができる。先にも述べたようにディスプレイ部７の駆動用電源は比較的高電圧であり、そこに損傷・破壊が生じた場合は発煙・発火等の電気的なトラブルが発生する可能性が高いことから、上記のようにセット系電源Ｅｓｅがオンとされないように制御されることで、このような電気的なトラブルの発生をより確実に防止できる。
【００３２】
また、このときシステムコントローラ１０は、傾斜センサ１２により転倒が検出されたことに応じては、先に述べたように第１ＬＥＤ１５を点灯させる動作を行う。これによってテレビジョン受像機１内において転倒が検出されていることを外部通知することができる。
また、ＥＷＳ検出部３ａにて緊急警報信号が検出（受信）され、ＥＷＳ通知が供給されたことに応じては、第２ＬＥＤ１６を点灯させる。これにより、上記のようにして地震に伴う外乱が生じ、後に緊急警報信号が発信された場合は、ディスプレイ部７はオフとなっているがこの第２ＬＥＤ１６により緊急警報信号が受信されていること自体は確実に外部通知することができる。
【００３３】
ところで、外乱が生じたときの電源状態として、ディスプレイ部７の駆動用電源が供給されているセットオン状態であった場合には、外乱の検出に応じて上記のようにして無効フラグを設定したのみでは、ディスプレイ部７の駆動用電源が供給され続けてしまう。つまり、その分電気的なトラブルが発生する可能性を高くしてしまう。
そこで、外乱が生じたときの電源状態がセットオン状態であった場合に対応しては、少なくともセット系電源Ｅｓｅの供給を停止する動作を行う。これによって転倒後セットオン状態が継続されることに伴い発生する可能性のある電気的なトラブルを確実に防止できる。
なおこの場合、電源がオンとされる部位がより少なければその分電気的なトラブルの発生の可能性はより低くできるので、この場合にはセット系電源Ｅｓｅと共にデジタル系電源Ｅｄの供給も停止するようにし、緊急警報信号受信可能状態に遷移するように動作する。これにより、電気的なトラブルの発生をより確実に防止できる。そしてこれと共に、このように緊急警報信号の受信が可能な状態とされることで、この場合も後に緊急警報信号が受信されたときに第２ＬＥＤ１６によって緊急警報信号が受信されていることを外部通知することができるようになる。
【００３４】
また、外乱発生時の電源状態としては、スタンバイ状態も考えられるが、この場合には、外乱の検出に応じてセットオン無効フラグを設定すると共に、緊急警報信号受信可能状態に遷移させる。これによって、外乱発生時の電源状態がスタンバイ状態であった場合にも、後に緊急警報信号が発信された場合にこれを受信することができるようになり、緊急警報信号が受信されていることを第２ＬＥＤ１６により外部通知することができる。
そしてこの場合としても、セットオン無効フラグの設定により緊急警報信号が受信されたとてもセットオン状態に遷移しないようにすることができる。
【００３５】
また、外乱発生時の電源状態が予約録画実行状態であったときは、デジタル系電源Ｅｄの供給を停止し、緊急警報信号受信可能状態に遷移させる。このようにオンされる部位をより少なくすることで電気的なトラブルの発生の可能性はより低くできる。
また、この場合も外乱後に緊急警報信号受信可能状態に遷移されることで、外乱後に緊急警報信号が発信された場合にこれを受信することができ、緊急警報信号が受信されていることを第２ＬＥＤ１６により外部通知することができる。
【００３６】
図３〜図５は、上記説明による実施の形態としての動作を実現するための処理動作を示したフローチャートである。
なお、これらの図に示される処理動作は図１に示したシステムコントローラ１０がメモリ部１３に格納されたプログラムに従って実行するものである。
図３は、主に外乱（転倒）が検出されたときの動作に対応して行われるべき処理動作を示している。
先ず、ステップＳ１０１では、転倒が検出されるのを待機する。つまり、傾斜センサ１２より転倒が検出されたことを示す検出信号が供給されるのを待機する。
【００３７】
ステップＳ１０２では、傾斜センサ１２から検出信号が供給されたことに応じ、セットオン無効フラグを設定する。すなわち、以降においてセット系電源Ｅｓｅがオンとされないように制御するためのフラグを設定するものである。
ステップＳ１０３では、第１ＬＥＤ１５を点灯させる。これによりテレビジョン受像機１内で転倒が検出されたことを外部通知することができる。
【００３８】
続くステップＳ１０４では、電源状態を判別する。電源状態の判別は、電源回路１１に対して供給している各電源制御信号（チューナ系電源制御信号Ｓ-EWS、デジタル系電源制御信号Ｓ-Dig、セット系電源制御信号Ｓ-Set）のＨ／Ｌを判別することで行うことができる。
ステップＳ１０４の判別結果よりスタンバイ状態であった場合は、ステップＳ１０５にてチューナ系電源制御信号Ｓ-EWSをＨとしてチューナ系電源Ｅｔをオンとさせることで、緊急警報信号受信可能状態に遷移させる。
また、緊急警報信号受信可能状態であった場合はそのまま処理動作を終了する。
また、予約録画実行状態であった場合は、ステップＳ１０６においてデジタル系電源制御信号Ｓ-DigをＬとし、デジタル系電源Ｅｄをオフとさせることで緊急警報信号受信可能状態に遷移させる。
また、セットオン状態であった場合は、ステップＳ１０７にてデジタル系電源制御信号Ｓ-Dig、セット系電源制御信号Ｓ-Setを共にＬとすることでデジタル系電源Ｅｄとセット系電源Ｅｓｅをオフとさせ、緊急警報信号受信可能状態に遷移させる。
【００３９】
図４は、緊急警報信号が受信されたときの動作に対応して実行されるべき処理動作について示している。
先ずステップＳ２０１では、ＥＷＳ検出部３ａからのＥＷＳ通知を待機する。そして、ＥＷＳ通知が供給された場合は、ステップＳ２０２にて第２ＬＥＤ１６を点灯させる。
【００４０】
なお、確認のために述べておくと、先の図３に示した処理動作が実行されることで、外乱（転倒）発生後においては、外乱発生時での電源状態に関わらず緊急警報信号受信可能状態に遷移するようにされる。これによって地震による外乱発生後、緊急警報信号が発信された場合には、上記ステップＳ２０１における緊急警報信号の受信（ＥＷＳ通知）を行うことができる。
そして、このように緊急警報信号の受信が可能な状態とされていることで、外乱発生後における緊急警報信号が発信された場合に、上記ステップＳ２０２にて第２ＬＥＤ１６により確実に緊急警報信号が受信されていることを外部通知することができる。
【００４１】
ステップＳ２０３においては、セットオン無効フラグが設定済みであるか否かについて判別する。
セットオン無効フラグが設定されていない場合は、ステップＳ２０４にてセットオン状態に遷移させるための処理を実行する。つまり、チューナ系電源制御信号Ｓ-EWS、デジタル系電源制御信号Ｓ-Dig、セット系電源制御信号Ｓ-Setの全てをＨとしてセットオン状態とさせる。
これによって、無効フラグが設定されていない、すなわちテレビジョン受像機１が転倒していない（外乱が生じていない）状態では、通常どおり緊急警報信号の受信に応じてセットオン状態とし、緊急警報放送の放送内容を表示可能な状態に遷移させることができる。
また、ステップＳ２０３において、セットオン無効フラグが設定済みであるとした場合は、処理動作を終了する。すなわち、電源状態は現状のまま（この場合は緊急警報信号受信可能状態）で維持される。これにより、転倒が検出された状態では緊急警報信号が受信されてもディスプレイ部７の駆動用電源がオンとされず、よって発煙・発火等の電気的なトラブルの発生をより確実に防止することができる。
【００４２】
ところで、転倒が検出されて以降、ユーザによって電源をオンとする操作が行われる可能性も考えられる。転倒（外乱）後の電気的トラブル防止の観点からすると、このような電源オン操作も無効とするようにされることが好ましい。
図５は、このように転倒検出後において電源オン操作を無効とする動作を実現するための処理動作を示している。
先ず、ステップＳ３０１では、セットオン操作を待機する。すなわち、ユーザインタフェース１４よりテレビジョン受像機１をセットオン状態とするための操作情報が入力されるのを待機する。
セットオン操作が行われたとした場合は、ステップＳ３０２において、先のステップＳ２０３と同様にセットオン無効フラグが設定済みであるか否かについて判別を行い、セットオン無効フラグが設定されていない場合は、ステップＳ３０３にてセットオン状態に遷移させるための処理を実行する。つまり、これによってテレビジョン受像機１が転倒していない状態では、通常どおりセットオン操作（電源オン操作）に応じてセットオン状態に遷移させることができる。
また、セットオン無効フラグが設定済みであるとした場合は処理動作を終了する、すなわち、無効フラグが設定済（つまり転倒が検出された状態）であるということは、既に図３に示した処理動作が実行された状態であるので、電源状態としては緊急警報信号受信可能状態で維持されることになる。
これにより、転倒が検出された状態ではセットオン操作が行われてもディスプレイ部７の駆動用電源がオンとされず、よって電気的なトラブルは同様に防止することができる。そして、この場合としても、電源状態としては緊急警報信号受信可能状態となっており、後に図４ステップＳ２０１の処理により緊急警報信号が受信された場合には、ステップＳ２０２の処理によって第２ＬＥＤ１６の点灯により緊急警報信号が受信されていることを外部通知することができる。
【００４３】
このようにして、転倒が検出された以降は少なくともディスプレイ部７の駆動電源がオンされないように制御されることで、転倒検出後セットオン操作が為された場合としてもセットオン状態にならないようにすることができる。
【００４４】
ところで、これまでの説明によると、本実施の形態のテレビジョン受像機１では、転倒等の外乱が検出されたときはいかなる場合もセットオン状態とすることができないことになる。
しかし、テレビジョン受像機１としては、意図的に傾斜させた状態で使用されることも考えられる。例えばテレビジョン受像機１が液晶ディスプレイやプラズマディスプレイを備える所謂ＦＤＰ（Flat Display Panel）型のテレビジョン受像機とされる場合等では、展示会等における展示に際してそのような使用形態で使用されることが考えられる。
そこで、このように意図的に傾斜させた状態での使用が可能となるように、所定の操作入力に応じてはセットオン無効フラグの設定／未設定にかかわらず、強制的にセットオン状態に遷移させるように動作することもできる。
この場合、上記所定操作としては、例えば所定キーの長押しや所定複数キーの同時押し等とし、その操作を一般ユーザ向けのマニュアルには記載しないようにする等して、これを業者側等のみが知る隠しコマンドとして、一般ユーザには操作できないようにすることができる。
【００４５】
このような動作の実現のための処理動作を図６に示すが、この場合のシステムコントローラ１０としては、先ずはステップＳ４０１において、上記のような所定キーの長押し操作や同時押し操作等、予め定められた所定操作を待機する。そして、所定操作があった場合はステップＳ４０２にてセットオン無効フラグを無視してセットオン状態に遷移させるための処理を実行する。
このような処理動作とされることで、意図的に傾斜させた状態で使用するとした場合に、転倒が検出されてセットオン無効フラグが設定されてしまった場合にも、当該無効フラグの設定とは無関係に強制的にセットオン状態に遷移させることができる。
【００４６】
なおこのとき、第１ＬＥＤ１５が設けられて転倒についての外部通知が可能とされていることで、上記した業者側等はテレビジョン受像機１内で転倒が検出されているか否かを知ることができる。すなわち、セットオン無効フラグが設定されてセットオン操作を無効とする状態となっているか否かを知ることができる。
つまり、業者側等は、第１ＬＥＤ１５の点灯／消灯を確認することで、セットオン状態（電源オン状態）とさせるにあたり、通常のセットオン操作を行うべきか隠しコマンドとしての上記所定操作によりオン操作を行うべきかを判断することができる。
【００４７】
また、転倒等の外乱検出に応じてセットオン状態とならないように制御する動作の実行／不実行を、ユーザ操作により選択設定可能に構成することもできる。例えば、当該テレビジョン受像機１への各種設定を行うための設定メニューの１項目として、このようなオン制御動作の実行／不実行を選択する項目を設け、その設定内容として「実行」が選択設定されている場合は、システムコントローラ１０はこれまでに説明した処理動作を実行する。また「不実行」が選択設定された場合は、図３に示したセットオン無効フラグの設定処理（Ｓ１０２）を省略する、或いは図４のステップＳ２０３、図５のステップＳ３０２による無効フラグ判別処理を省略する等して、転倒が検出された場合もセットオン状態とすることが可能な状態となるようにすればよい。
【００４８】
ここで、本発明としてはこれまでに説明した実施の形態に限定されるべきものではない。
例えば実施の形態では、テレビジョン受像機１が地上波デジタル放送のみに対応する構成とされる場合を例示したが、その他地上波アナログ放送、ＢＳデジタル放送、ＢＳアナログ放送等に対応する構成とすることもできる。
【００４９】
また、外乱検出についての外部通知と、緊急警報信号の受信の外部通知とを、それぞれ第１ＬＥＤ１５と第２ＬＥＤ１６との２つのＬＥＤによって行うものとしたが、ＬＥＤは１つのみ設け、それぞれの外部通知を点灯／点滅により分ける、或いはそれぞれ異なる発光色により通知するように構成することもできる。
【００５０】
また、光の点灯又は点滅により外部通知を行う以外にも、例えば音声により外部通知する等の他の手段により外部通知する構成とすることもできる。
【００５１】
また、外乱の検出は、転倒のみを検出するものとして傾斜センサ１２を設けるものとした。
しかしながら本発明で言う「外乱」とは、地震等による揺れによって内部回路が破壊に至る可能性があるとして想定される程度の衝撃が加えられることを指すものであり、これを検出できるとして想定されるセンサであれば他のセンサを用いることができる。
例えば、重力加速度センサを備えるものとし、重力加速度の変化が内部回路の破壊を招くとして想定された態様により得られた場合に「外乱」が発生したとして検出するように構成することもできる。このように「外乱」検出を重力加速度センサを用いて行うものとすれば、テレビジョン受像機自体の落下・転倒以外にも、外部から他の物体が落下・転倒してきた場合に加えられた衝撃も検出することができ、より確実に電気的なトラブルの発生を防止することができる。
【００５２】
また、本実施の形態では、テレビジョン受像機１がとり得る電源状態は、スタンバイ状態、緊急警報信号受信可能状態、予約録画実行状態、セットオン状態の４つとしたが、予約録画実行状態がない場合としても、本発明は好適に適用できる。
また、とり得る電源状態が４つ以上とされる場合としても、外乱検出に応じてチューナ系電源制御信号Ｓ-EWSのみをＨとして緊急警報信号受信可能状態に遷移させることで、外乱検出時に緊急警報信号受信可能状態よりもオンされる部位が多かった場合にはそれらの部位の電源がオフされることで電気的なトラブルの発生をより確実に防止できる。また、この場合も外乱検出に応じて緊急警報信号受信可能状態とされることで、その後に緊急警報信号が発信された場合はこれを受信して緊急警報信号が受信されていることを外部通知することができる効果は、実施の形態の場合と同様である。
【図面の簡単な説明】
【００５３】
【図１】本発明における実施の形態としてのテレビジョン受像機の内部構成を示すブロック図である。
【図２】実施の形態のテレビジョン受像機がとり得る電源状態について説明するための図である。
【図３】実施の形態のテレビジョン受像機が行う処理動作として、外乱（転倒）が検出されたときの動作に対応して行われるべき処理動作を示したフローチャートである。
【図４】実施の形態のテレビジョン受像機が行う処理動作として、緊急警報信号が受信されたときの動作に対応して実行されるべき処理動作を示したフローチャートである。
【図５】実施の形態のテレビジョン受像機が行う処理動作として、電源オン操作に対応して行われるべき処理動作について示したフローチャートである。
【図６】所定操作に応じて強制的に電源をオンとする動作に対応して行われるべき処理動作について示したフローチャートである。
【符号の説明】
【００５４】
１  テレビジョン受像機、２  アンテナ、３  デジタル放送受信チューナ部、３ａ  ＥＷＳ検出部、４  放送信号処理部、５  映像信号処理部、６  表示駆動部、７  ディスプレイ部、８  音声信号処理部、９  スピーカ、１０  システムコントローラ、１１  電源回路、１２  傾斜センサ、１３  メモリ部、１４  ユーザインタフェース、１５  第１ＬＥＤ、１６  第２ＬＥＤ、１７  バス
【図１】
2006319877.tif 000003
【図２】
2006319877.tif 000004
【図３】
2006319877.tif 000005
【図４】
2006319877.tif 000006
【図５】
2006319877.tif 000007
【図６】
2006319877.tif 000008